(57)【要約】【課題】  本発明は、極めて商品価値の高い画期的なキノコ栽培体を提供することを目的とする。【解決手段】  キノコ種菌が植え付けられたキノコ培地１を収納して成る容器状のキノコ栽培体２であって、このキノコ栽培体２は、該キノコ栽培体２内で成育したキノコ子実体３が該キノコ栽培体２の壁２ａを破り出て外部へ露出する素材で構成されているものである。【選択図】      図５
2007006810.tif 000002
【特許請求の範囲】
【請求項１】
キノコ種菌が植え付けられたキノコ培地を収納して成る容器状のキノコ栽培体であって、このキノコ栽培体は、該キノコ栽培体内で成育したキノコ子実体が該キノコ栽培体の壁を破り出て外部へ露出する素材で構成されていることを特徴とするキノコ栽培体。
【請求項２】
キノコ種菌を培養して得た菌体が保持されたキノコ培地を収納して成る容器状のキノコ栽培体であって、このキノコ栽培体は、該キノコ栽培体内で前記菌体から成育するキノコ子実体が該キノコ栽培体の壁を破り出て外部へ露出する素材で構成されていることを特徴とするキノコ栽培体。
【請求項３】
請求項１，２いずれか１項に記載のキノコ栽培体において、前記キノコ栽培体は含水して軟弱となる素材で構成されていることを特徴とするキノコ栽培体。
【請求項４】
請求項３記載のキノコ栽培体において、前記キノコ栽培体は水に触れて軟弱となる紙製のキノコ栽培体であることを特徴とするキノコ栽培体。
【請求項５】
キノコ種菌を培養して得た菌体が保持されたキノコ培地を収納して成る容器状のキノコ栽培体であって、このキノコ栽培体の壁には適宜な手段により形成したキノコ子実体導出部が設けられており、前記キノコ栽培体内で前記菌体から成育したキノコ子実体が前記キノコ子実体導出部を介して外部へ露出するように構成されていることを特徴とするキノコ栽培体。
【請求項６】
請求項５記載のキノコ栽培体において、前記キノコ子実体導出部はナイフやカッターなどの切離手段により切離して形成されるものであることを特徴とするキノコ栽培体。
【請求項７】
請求項５記載のキノコ栽培体において、前記キノコ栽培体は複数の分割体で構成され、この分割体同士の連設部が前記キノコ子実体導出部に形成されていることを特徴とするキノコ栽培体。
【請求項８】
請求項１〜７いずれか１項に記載のキノコ栽培体において、前記キノコ栽培体として内部に火薬が充填された打ち上げ花火用の花火玉を構成する玉皮を採用したことを特徴とするキノコ栽培体。
【請求項９】
請求項１〜７いずれか１項に記載のキノコ栽培体において、前記キノコ栽培体としてボックス形状のキノコ栽培体を採用したことを特徴とするキノコ栽培体。
【請求項１０】
請求項１〜７いずれか１項に記載のキノコ栽培体において、前記キノコ栽培体としてコップ形状のキノコ栽培体を採用したことを特徴とするキノコ栽培体。
【発明の詳細な説明】
【技術分野】
【０００１】
本発明は、キノコ栽培体に関するものである。
【背景技術】
【０００２】
近年、一般家庭において、花や草木は勿論、野菜や果物などの食用とされる植物を栽培して楽しむ人が益々増えているが、そんな中、キノコ栽培については、一般家庭においてほとんど普及していないのが現状である。
【発明の開示】
【発明が解決しようとする課題】
【０００３】
本出願人等は、キノコを誰でも簡易に楽しみながら栽培することができる極めて商品価値の高い画期的なキノコ栽培体を開発した。
【課題を解決するための手段】
【０００４】
添付図面を参照して本発明の要旨を説明する。
【０００５】
キノコ種菌が植え付けられたキノコ培地１を収納して成る容器状のキノコ栽培体２であって、このキノコ栽培体２は、該キノコ栽培体２内で成育したキノコ子実体３が該キノコ栽培体２の壁２ａを破り出て外部へ露出する素材で構成されていることを特徴とするキノコ栽培体に係るものである。
【０００６】
また、キノコ種菌を培養して得た菌体が保持されたキノコ培地１を収納して成る容器状のキノコ栽培体２であって、このキノコ栽培体２は、該キノコ栽培体２内で前記菌体から成育するキノコ子実体３が該キノコ栽培体２の壁２ａを破り出て外部へ露出する素材で構成されていることを特徴とするキノコ栽培体に係るものである。
【０００７】
また、請求項１，２いずれか１項に記載のキノコ栽培体において、前記キノコ栽培体２は含水して軟弱となる素材で構成されていることを特徴とするキノコ栽培体に係るものである。
【０００８】
また、請求項３記載のキノコ栽培体において、前記キノコ栽培体２は水に触れて軟弱となる紙製のキノコ栽培体２であることを特徴とするキノコ栽培体に係るものである。
【０００９】
また、キノコ種菌を培養して得た菌体が保持されたキノコ培地１を収納して成る容器状のキノコ栽培体２であって、このキノコ栽培体２の壁２ａには適宜な手段により形成したキノコ子実体導出部４が設けられており、前記キノコ栽培体２内で前記菌体から成育したキノコ子実体３が前記キノコ子実体導出部４を介して外部へ露出するように構成されていることを特徴とするキノコ栽培体に係るものである。
【００１０】
また、請求項５記載のキノコ栽培体において、前記キノコ子実体導出部４はナイフやカッターなどの切離手段により切離して形成されるものであることを特徴とするキノコ栽培体に係るものである。
【００１１】
また、請求項５記載のキノコ栽培体において、前記キノコ栽培体２は複数の分割体２Ａ，２Ｂで構成され、この分割体２Ａ，２Ｂ同士の連設部が前記キノコ子実体導出部４に形成されていることを特徴とするキノコ栽培体に係るものである。
【００１２】
また、請求項１〜７いずれか１項に記載のキノコ栽培体において、前記キノコ栽培体２として内部に火薬が充填された打ち上げ花火用の花火玉を構成する玉皮を採用したことを特徴とするキノコ栽培体に係るものである。
【００１３】
また、請求項１〜７いずれか１項に記載のキノコ栽培体において、前記キノコ栽培体２としてボックス形状のキノコ栽培体２を採用したことを特徴とするキノコ栽培体に係るものである。
【００１４】
また、請求項１〜７いずれか１項に記載のキノコ栽培体において、前記キノコ栽培体２としてコップ形状のキノコ栽培体２を採用したことを特徴とするキノコ栽培体に係るものである。
【発明の効果】
【００１５】
本発明は上述のように構成したから、誰でも簡易に楽しみながらキノコを栽培することができる従来にない極めて商品価値の高い画期的なキノコ栽培体となる。
【発明を実施するための最良の形態】
【００１６】
好適と考える本発明の実施形態を、図面に基づいて本発明の作用を示して説明する。
【００１７】
本出願人等は、従来からキノコ栽培が一般家庭において普及していないのは、例えばキノコ種菌の取り扱い（紛失しないようにする管理）、キノコ培地への植え付け、キノコ育成管理（カビ等が生じないように管理すること）などが面倒であるという栽培上の問題点があるからであり、更に、キノコは観賞には馴染まず、このこともキノコ栽培が一般家庭に普及しない原因の１つである。
【００１８】
従って、これらの問題点を解消すれば誰でも簡易に楽しみながらキノコ栽培することができ、一般家庭においてキノコ栽培を普及させることができると本出願人等は考えた。
【００１９】
そこで、本出願人等は、種々の実験・研究を繰り返し行なった結果、キノコ種菌を培養して得た菌体（菌糸体）を保持したキノコ培地１を容器状のキノコ栽培体２に収納して密閉状態とし、例えばキノコ栽培体２の壁２ａをある程度の柔らかさにすれば、その柔らかい部位からキノコ栽培体２内で成育したキノコ子実体３が破り出てきたり、それ以外にも、キノコ栽培体２の壁２ａに貫通する部位を形成すればその貫通した部位からキノコ栽培体２内で成育したキノコ子実体３が出てくるなど、該キノコ栽培体２内で成育したキノコ子実体３を外部に露出させることができる点を見出し、本発明を完成させた。
【００２０】
即ち、キノコ栽培体２内で成育したキノコ子実体３が壁２ａを破り出て外部へ露出するように構成されているから、本実施例に係るキノコ栽培体２を販売し、購入者が所望の場所に置き放置すると、該キノコ栽培体２内で成育したキノコ子実体３が壁２ａを破り出て外部へ露出することになる。
【００２１】
従って、単に容器状のキノコ栽培体２に何ら手を加えずとも、キノコ栽培体２の内部で成育したキノコ子実体３が該キノコ栽培体２の外部に露出することになり、誰でも簡易に楽しみながらキノコを栽培することができ、この栽培したキノコを観賞用として楽しんだり、成熟した際に収穫して食用とすることもできる。
【００２２】
また、本発明は、キノコ種菌を培養して得た菌体が保持されたキノコ培地１を用いるから、カビ等の雑菌により犯されない良質なキノコ子実体３が得られる。
【００２３】
即ち、キノコ種菌を植え付けたキノコ培地１をキノコ栽培体２に収納した場合には、環境によってはカビ等の雑菌により犯されたキノコ子実体３が生じる場合があるが、一旦、菌体に成長させた後においては、カビ等の雑菌に対する耐菌性が強まり、該雑菌に犯されないキノコ子実体３が得られることになる。
【００２４】
また、本発明に係るキノコ栽培体は、菌体が保持されたキノコ培地１が密閉状態で収納されているから（キノコ培地１がこぼれたりしないから）、そのまま流通させることができ、業者はそのままの状態で販売することができるのは勿論、購入者は取り扱いに何ら心配することなく、購入して持ち帰り、容器状のキノコ栽培体２を放置しておくだけで、該キノコ栽培体２の外部にキノコ子実体３を露出（導出）させ収穫することができる。
【００２５】
また、容器状のキノコ栽培体２を含水して軟弱となり該キノコ栽培体２内で成育したキノコ子実体３が破り出て外部へ露出するように構成すれば、本発明のキノコ栽培体２の購入者がそのキノコ栽培体２を含水させておくと、該キノコ栽培体２内で成育したキノコ子実体３が含水により軟弱となった軟弱部位２ａ’を破り出て外部へ露出することになる。
【００２６】
従って、単に容器状のキノコ栽培体２を含水させるだけで、キノコ栽培体２の内部で成育したキノコ子実体３が該キノコ栽培体２の外部に露出することになり、何ら面倒することなく、誰でも簡易に楽しみながらキノコを栽培することができる。
【００２７】
また、容器状のキノコ栽培体２の壁２ａに適宜な手段によりキノコ子実体導出部４を設けておくと、このキノコ子実体導出部４からキノコ栽培体２内で成育したキノコ子実体３が外部へ露出し、例えばこのキノコ子実体導出部４を任意の形状にすることで、この任意形状のキノコ子実体導出部４に従いキノコ子実体３をキノコ栽培体２の外部へ露出させることができ、よって、露出するキノコ子実体３をキノコ栽培体２の任意の位置に露出させることが可能となり、好みの外観を呈するキノコ子実体群の形成が可能となるなど、栽培意欲を向上させることができる。
【００２８】
また、前記容器状のキノコ栽培体２として内部に火薬が充填された打ち上げ花火用の花火玉を構成する玉皮を採用すれば、この花火玉の外観を呈するキノコ栽培体２からキノコ子実体３が露出すると、該キノコ子実体３が花火（火柱）のように見え、即ち、火柱が出た花火玉のように見え、非常にデザイン性・インテリア性に秀れたものになる。
【実施例１】
【００２９】
本発明の具体的な実施例１について図面に基づいて説明する。
【００３０】
本実施例は、キノコ種菌が植え付けられたキノコ培地１若しくはキノコ種菌を培養し、培養が終了した菌体（菌糸体）を保持したキノコ培地１を容器状のキノコ栽培体２に収納したものである。
【００３１】
キノコ栽培体２は、キノコ子実体３が破り出られる硬さのものであれば良いが、例えば図１，２に図示したように含水することでその周壁２ａが軟弱（ぜいじゃく）な状態（ふやけた状態）となるものでも良い。
【００３２】
即ち、このキノコ栽培体２の構成材や壁２ａの厚みは、容器としての強度を保ちつつ、該キノコ栽培体２内で成育したキノコ子実体３が破り出る程度のものを採用する。
【００３３】
また、キノコ栽培体２は、一対の半球状の分割体２Ａ，２Ｂ同士を連結した構造でも良く、具体的には、紙部材（ダンボール紙）を球形状に形成したものであり、内部に火薬が充填された打ち上げ花火用の花火玉を構成する一対の半球状の分割体２Ａ，２Ｂから成る玉皮を採用しても良い。尚、この分割体２Ａ，２Ｂ同士は、テープ６により止着されている。
【００３４】
尚、実際に製品化する際には、図１に図示したようにキノコ栽培体２の外面に装飾材７（ラベル）を付設すると、一層花火玉をイメージさせる製品となる。従って、一見して本物の花火玉に見えることになり、例えば花火を上げる夏祭りのお土産として最適となる。
【００３５】
その他にも、例えばキノコ栽培体２を網袋に入れたり紐にぶら下げた状態にして携帯に便利にするなど、販売（お土産用）を考慮した種々の工夫が考えられる。
【００３６】
キノコ栽培体２に収納されるキノコ培地１は、オガクズにフスマなどを混ぜた一般的な培地である。尚、本明細書で言うキノコ培地１には、キノコ種菌、菌体、キノコ子実体３が成育するものすべてが含まれる。
【００３７】
キノコ種菌は、キノコの色や成育に適する温度、季節に応じて種々のキノコ種菌を使い分けるものである。
【００３８】
具体的には、本実施例では、キノコ種菌としてトキイロヒラタケ及びタモギタケのキノコ種菌を使用している。
【００３９】
このトキイロヒラタケ及びタモギタケは、双方ともに夏用で１８〜３０度で発生する。
【００４０】
また、トキイロヒラタケは薄紅色でタモギタケは黄色であり、いずれも花火（火柱）をイメージさせる色である為、前述した花火玉の玉皮で構成したキノコ栽培体２と調和して花火のイメージをより強くすることができる。
【００４１】
キノコ種菌の選択例として、前述したものの他にも、例えば紅白の色の異なるキノコ種菌を使用し、キノコ栽培体２から紅白のキノコ子実体３が露出して縁起物の飾りとなるようにしても良い。
【００４２】
また、本実施例では、キノコ種菌をキノコ培地１に植え付け常法により無菌室で培養することにより菌体（菌糸体）を得、この菌体が保持されたキノコ培地１をキノコ栽培体２に収納して密閉している。
【００４３】
これは、キノコ種菌の培養中に雑菌が繁殖するとその成育の妨げとなるからであり、実際にキノコ種菌を直に植え付けたキノコ培地１をキノコ栽培体２に収納して密閉した場合、このキノコ栽培体２の中では雑菌によりキノコ子実体３は良好に育たない場合が多い（商品化できないと考えられる。）。
【００４４】
この点、培養が済んだ菌体であれば、多少の雑菌に触れても支障なく成育し（この点は実験により確認済み）、よって、本実施例のように、培養後の菌体を使用することで、従来から面倒とされてきた成育管理の心配は一切無く、誰でも簡単にキノコを栽培できる商品を実現できることになる。
【００４５】
尚、キノコ培地１に菌体を保持させるタイミングは、キノコ培地１をキノコ栽培体２に収納した後でも良い。
【００４６】
以上の構成からなる本実施例に係るキノコ栽培体のキノコ栽培方法について説明する。
【００４７】
図３に図示したようにキノコ栽培体２に水Ｌを含ませて放置する。本実施例では、水Ｌを充填した容器状の支持台８にキノコ栽培体２を載置し、この支持台８内の水Ｌにキノコ栽培体２の下部が浸かった状態となるようにしているが、常に水Ｌに浸けず壁２ａに軟弱部位２ａ’が得られれば支持台８から水Ｌを無くしても良い。
【００４８】
また、図４に図示したようにカバー９を被せても良く、このカバー９を被せることで適温を維持し、水分を維持することができる。
【００４９】
その後、キノコ栽培体２内で成育したキノコ子実体３は、水Ｌを含んで軟弱となったキノコ栽培体２の軟弱部位２ａを破り出て該キノコ栽培体２の外部へ露出し、収穫できる状態になるまで育つことになる（図５参照）。
【００５０】
本出願人等が実際に試してみたところ、キノコ栽培体２を水Ｌに約５分浸し、約３日〜１週間でキノコ子実体３はキノコ栽培体２の軟弱部位２ａ’を破り出て露出し、その後１０日程度で成熟して収穫できる状態になった。１回収穫した後も暫くしてまたキノコ子実体３は発生し、２〜３回は収穫することができた。
【００５１】
尚、キノコ子実体３がキノコ栽培体２の外部に破り出るまでの時間や収穫までの時間は、キノコの種類や温度条件などによって種々異なる。
【００５２】
また、本実施例に係るキノコ栽培体２のキノコ栽培方法としては、前述したようにキノコ栽培体２を水Ｌに浸す場合の他、図６，７に図示したようにキノコ栽培体２を構成する分割体２Ａ，２Ｂ同士を連結するテープ６の一部を除去してキノコ栽培体２にキノコ子実体導出部４を形成し、該キノコ子実体導出部４からキノコ子実体３を導出させるようにしたり、その他にも、例えば図８，９に図示したようにカッターやナイフなどの切離手段によりキノコ栽培体２の壁２ａを切離し、この切離により形成されたキノコ子実体導出部４からキノコ子実体３を導出させるようにしたりしても良い。
【００５３】
本実施例は上述のように構成したから、単にキノコ栽培体２を含水させるだけで、キノコ栽培体２の内部で成育したキノコ子実体３が該キノコ栽培体２の外部に露出することになり、何ら面倒することなく、誰でも簡易に楽しみながらキノコを栽培することができ、この栽培したキノコを観賞用として楽しんだり、成熟した際に収穫して食用とすることもできる。
【００５４】
また、キノコ栽培体２は、培養済みの種体を保持したキノコ培地１が密閉状態で収納されているから（キノコ培地１がこぼれたりしないから）、そのまま流通させることができ、業者はそのままの状態で販売することができるのは勿論、購入者はキノコ種菌等の取り扱いに何ら心配することなく、購入して持ち帰り、キノコ栽培体２を含水させるという操作をするだけで、該キノコ栽培体２の外部にキノコ子実体３を露出（導出）させ収穫することができる。
【実施例２】
【００５５】
本発明の具体的な実施例２について図面に基づいて説明する。
【００５６】
実施例２は、図10〜13に図示したように容器状のキノコ栽培体２をボックス形状やカップ形状に形成した場合であり、キノコ栽培体２の壁２ａに外部若しくは内部からの圧力により切離し易い切離誘発部５が形成されている。
【００５７】
この切離誘発部５は、図10，12に図示したようにキノコ栽培体２の壁２ａに所定間隔で切り込みを形成することで設けられ、この切離誘発部５を押圧して切離されるとキノコ子実体導出部４が形成される。
【００５８】
このキノコ子実体導出部４は、例えば外部から指で押圧して形成されたり、また、キノコ栽培体２の内部で成育したキノコ子実体３が押圧して形成されたりする。
【００５９】
その余は実施例１と同様である。
【００６０】
尚、本発明は、実施例１，２に限られるものではなく、各構成要件の具体的構成は適宜設計し得るものである。
【図面の簡単な説明】
【００６１】
【図１】実施例１を示す斜視図である。
【図２】実施例１を示す断面図である。
【図３】実施例１におけるキノコ栽培方法の説明図である。
【図４】実施例１におけるキノコ栽培方法の説明図である。
【図５】実施例１におけるキノコ栽培方法の説明図である。
【図６】実施例１におけるキノコ栽培方法の説明図である。
【図７】実施例１におけるキノコ栽培方法の説明図である。
【図８】実施例１におけるキノコ栽培方法の説明図である。
【図９】実施例１におけるキノコ栽培方法の説明図である。
【図１０】実施例２を示す斜視図である。
【図１１】実施例２におけるキノコ栽培方法の説明図である。
【図１２】実施例２を示す斜視図である。
【図１３】実施例２におけるキノコ栽培方法の説明図である。
【符号の説明】
【００６２】
１  キノコ培地
２  キノコ栽培体
２ａ  壁
２Ａ  分割体
２Ｂ  分割体
３  キノコ子実体
４  キノコ子実体導出部
【図１】
2007006810.tif 000003
【図２】
2007006810.tif 000004
【図３】
2007006810.tif 000005
【図４】
2007006810.tif 000006
【図５】
2007006810.tif 000007
【図６】
2007006810.tif 000008
【図７】
2007006810.tif 000009
【図８】
2007006810.tif 000010
【図９】
2007006810.tif 000011
【図１０】
2007006810.tif 000012
【図１１】
2007006810.tif 000013
【図１２】
2007006810.tif 000014
【図１３】
2007006810.tif 000015